【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
ＩＣチップのメモリ領域から、前記ＩＣチップのメモリ領域を使用する、外部からの有線通信による有線通信サービス、および外部からの無線通信による無線通信サービスの少なくともいずれか一方を含むサービスの識別情報を読み込む読込部と、
前記読込部が読み込んだ前記サービスの識別情報を外部サーバに送信することにより、前記外部サーバからサービス情報を取得する取得部と、
前記取得部が取得した前記サービス情報に基づいて、前記ＩＣチップのメモリ領域を使用する全てのサービスの表示を行う表示部と、
を備える、情報処理装置。
【請求項２】
前記サービスは、内部にインストールされたアプリケーションを使用したサービスを含む、請求項１に記載の情報処理装置。
【請求項３】
前記取得部が取得した前記サービス情報を記憶する記憶部をさらに備え、
前記取得部は、前記記憶部に前記サービス情報が記憶されている場合は、前記読込部が読み込んだ前記サービスの識別情報とともに前記サービス情報に含まれるバージョン情報を前記外部サーバに送信することにより、新しいバージョンのサービス情報を取得し、
前記表示部は、前記取得部が前記新しいバージョンのサービス情報を取得したときは、前記新しいバージョンのサービス情報に基づいて、前記サービスをユーザに利用させるための表示を行い、前記取得部が前記新しいバージョンのサービス情報を取得しないときは、前記記憶部に記憶されている前記サービス情報に基づいて、前記サービスをユーザに利用させるための表示を行う、請求項１に記載の情報処理装置。
【請求項４】
前記サービスは、前記ＩＣチップのメモリ領域を所有する主となるサービスと、前記主となるサービスが所有する前記メモリ領域を利用する関連するサービスとを含み、
前記読込部は、前記取得部が取得した、または記憶部から取得した前記関連するサービスを特定するための情報に基づいて、前記主となるサービスに関連する前記関連するサービスを特定する、請求項１に記載の情報処理装置。
【請求項５】
前記記憶部は、前記取得部が前記新しいバージョンのサービス情報を取得したときは、古いバージョンのサービス情報に代えて前記新しいバージョンのサービス情報を記憶する、請求項３に記載の情報処理装置。
【請求項６】
前記表示部は、前記記憶部に前記サービス情報が記憶されている場合において、前記取得部が前記外部サーバから前記サービス情報を取得できないときは、前記記憶部に記憶されている前記サービス情報に基づいて、前記サービスをユーザに利用させるための表示を行う、請求項３に記載の情報処理装置。
【請求項７】
前記サービスは、前記ＩＣチップのメモリ領域を所有する主となるサービスと、前記主となるサービスが所有する前記メモリ領域を利用する関連するサービスとを含み、
前記読込部は、前記ＩＣチップのメモリ領域を使用する主となるサービスの識別情報を読み込み、
前記取得部は、前記読込部が読み込んだ前記主となるサービスの識別情報を前記外部サーバに送信することにより、前記外部サーバから前記主となるサービスをユーザに利用させるための主となるサービス情報、および前記関連するサービスを特定するための情報を取得し、
前記読込部は、前記関連するサービスを特定するための情報に基づいて、前記関連するサービスの識別情報を読み込み、
前記取得部は、前記読込部が読み込んだ前記関連するサービスの識別情報を前記外部サーバに送信することにより、前記外部サーバから前記関連するサービスをユーザに利用させるための関連するサービス情報を取得し、
前記表示部は、前記取得部が取得した前記主となるサービス情報および前記関連するサービス情報に基づいて、前記主となるサービスおよび前記関連するサービスをユーザに利用させるための表示を行う、請求項１に記載の情報処理装置。
【請求項８】
前記取得部が取得した前記主となるサービス情報、前記関連するサービス情報、および前記関連するサービスを特定するための情報を記憶する記憶部をさらに備え、
前記読込部は、前記記憶部に前記関連するサービスを特定するための情報が記憶されている場合において、前記取得部が前記外部サーバから前記関連するサービスを特定するための情報を取得できないときは、前記記憶部に記憶されている前記関連するサービスを特定するための情報に基づいて、前記関連するサービスの識別情報を読み込み、
前記表示部は、前記記憶部に前記主となるサービス情報、および前記関連するサービス情報が記憶されている場合において、前記取得部が前記外部サーバから前記主となるサービス情報、および前記関連するサービス情報を取得できないときは、前記記憶部に記憶されている前記主となるサービス情報、および前記関連するサービス情報に基づいて、前記主となるサービスおよび前記関連するサービスをユーザに利用させるための表示を行う、請求項７に記載の情報処理装置。
【請求項９】
前記関連するサービスを特定するための情報は、前記ＩＣチップのメモリ領域内のデータに基づいてサービスを特定するための情報、前記情報処理装置にインストールされているアプリケーションに基づいてサービスを特定するための情報、またはＷｅｂブラウザの利用履歴やブックマークに基づいてサービスを特定するための情報を含む、請求項７に記載の情報処理装置。
【請求項１０】
コンピュータを、
ＩＣチップのメモリ領域から、前記ＩＣチップのメモリ領域を使用する、外部からの有線通信による有線通信サービス、および外部からの無線通信による無線通信サービスの少なくともいずれか一方を含むサービスの識別情報を読み込む読込部と、
前記読込部が読み込んだ前記サービスの識別情報を外部サーバに送信することにより、前記外部サーバからサービス情報を取得する取得部と、
前記取得部が取得した前記サービス情報に基づいて、前記ＩＣチップのメモリ領域を使用する全てのサービスの表示を行う表示部と、
として機能させるためのプログラム。
【請求項１１】
情報処理装置と、
前記情報処理装置と通信可能な外部サーバと、
を備え、
前記情報処理装置は、
ＩＣチップのメモリ領域から、前記ＩＣチップのメモリ領域を使用する、外部からの有線通信による有線通信サービス、および外部からの無線通信による無線通信サービスの少なくともいずれか一方を含むサービスの識別情報を読み込む読込部と、
前記読込部が読み込んだ前記サービスの識別情報を外部サーバに送信することにより、前記外部サーバからサービス情報を取得する取得部と、
前記取得部が取得した前記サービス情報に基づいて、前記ＩＣチップのメモリ領域を使用する全てのサービスの表示を行う表示部と、
を備える、情報処理システム。
【手続補正２】
【補正対象書類名】明細書
【補正対象項目名】００４４
【補正方法】変更
【補正の内容】
【００４４】
また、情報処理システム１０００は、リーダ／ライタ５００を備える情報処理装置５１０と、サービス提供サーバ６００と、情報処理装置６１０，６１２とを備える。本実施の形態では、情報処理装置６１０，６１２は、例えばＰＣである。携帯電話１００とリーダ／ライタ５００とは非接触式の通信が可能である。携帯電話１００とサービス提供サーバ６００とは通信網７１０を介して通信可能に構成される。サービス提供サーバ６００と情報処理装置６１０，６１２とは通信網７２０を介して通信可能に構成される。情報処理装置５１０は、非接触式の通信によるＩＣチップ１２０のメモリ領域を使用するサービスを提供する情報処理装置である。サービス提供サーバ６００は、通信網７１０を介したＩＣチップ１２０のメモリ領域を使用するサービスを提供するサービス提供サーバである。情報処理装置６１０，６１２はサービス提供サーバ６００を所有する情報処理装置である。